(57)【特許請求の範囲】
【請求項１】
バス屋根１には、交通情報の案内及び広告物の設置スペースを提供するように、上下部が開口され、周りの四面が連結された長方形状の広告用構造体１０が設けられ、
前記広告用構造体１０の正面部１２と両側面部１４とには、交通情報の案内及び広告のための正面導光パネル２０と側面導光パネル２２とがそれぞれ設けられ、
前記正面部１２の上端には、広告用構造体１０の内部への空気の流入をスムーズに導くように、後方に水平に折られた状態で、後方に行くほど漸次低く傾斜する前翼１２ｂが形成されており、後面部１６の上端には、広告用構造体１０の内部の空気が外部へ容易に流出するように、前方に水平に折られた状態で、前方に行くほど漸次低くなる後翼１６ｂが形成されたことを特徴とするバス屋根における屋外広告用構造体。
【請求項２】
前記広告用構造体１０は、バス屋根１に装着された空調システム３が外部に露出しないようにカバーするとともに、前記広告用構造体１０の高さは、前記バス屋根１に装着された空調システム３の高さよりも高くなるように、８０〜１７０ｃｍの範囲で構成されたことを特徴とする請求項１記載のバス屋根における屋外広告用構造体。
【請求項３】
前記広告用構造体１０の正面部１２及び両側面部１４は、空気の抵抗を最小化させるように、下部から上部に行くほど、内側に一定の角度（α）で傾斜して構成されたことを特徴とする請求項１記載のバス屋根における屋外広告用構造体。
【請求項４】
前記広告用構造体１０は、その正面部１２に前記正面導光パネル２０が取付けられる取付孔１２ａが形成され、その両側面部１４に、前記側面導光パネル２２が取付けられる複数の取付孔１４ａが形成され、その後面部１６に、空気及び雨水が排出される多数の貫通孔１６ａが形成されたことを特徴とする請求項１記載のバス屋根における屋外広告用構造体。
【請求項５】
前記複数の取付孔１４ａは、上下の幅よりも左右の幅が広い長方形状であり、前後対称に構成されたことを特徴とする請求項４記載のバス屋根における屋外広告用構造体。
【請求項６】
前記正面部１２、両側面部１４、及び後面部１６の下端には、バス屋根１の縁部に容易に密着し、かつ、多数の締結手段２４によって固定されるように、内側に直角となるように折られた接触面部１２ｃ、１４ｃ、１６ｃがそれぞれ形成されたことを特徴とする請求項４に記載のバス屋根における屋外広告用構造体。
【請求項７】
前記正面導光パネル２０と複数の側面導光パネル２２とは、前記広告用構造体１０の内面にそれぞれ固定された状態で、制御手段により、個別または同時に制御されるように、電気的に接続されたことを特徴とする請求項１に記載のバス屋根における屋外広告用構造体。
【請求項８】
バス屋根の上に装着された機器を有するバスのバス屋根における屋外広告用構造体であって、
バス屋根１には、交通情報の案内及び広告物の設置スペースを提供するように、上下部が開口され、周りの四面が連結された長方形状の広告用構造体１０が設けられ、
前記広告用構造体１０の正面部１２と両側面部１４とには、交通情報の案内及び広告のための正面導光パネル２０と側面導光パネル２２とがそれぞれ設けられ、
前記広告用構造体１０の上面の開口には、バス屋根１に装着された機器が、上部を介して外部に露出しないようにカバーするとともに、広告物を貼着することのできる設置スペースを提供するように、前後摺動する複数の上部板材３０が設けられたことを特徴とするバス屋根における屋外広告用構造体。
【請求項９】
前記複数の上部板材３０は、引き戸方式で重なるか、あるいは広げられるように、その左右端が、前記広告用構造体１０の両側面のレール溝１４ｂに結合されたことを特徴とする請求項８記載のバス屋根における屋外広告用構造体。
【請求項１０】
前記複数の上部板材３０の上面は、雨水が溜まらず容易に流れるように、中央から左右方向に行くほど漸次低くなる湾曲状に形成されたことを特徴とする請求項８または９記載のバス屋根における屋外広告用構造体。
【請求項１１】
バス屋根の上に装着された機器を有するバスのバス屋根における屋外広告用構造体１０であって、
バス屋根１には、機器が外部から見えないように、バス屋根に装着された機器を視界から防ぎ、交通情報の案内及び広告物の設置スペースを提供するように、上下部が開口され、周りの四面が連結された長方形状の広告用構造体１０が設けられ、
前記広告用構造体１０の正面部１２と両側面部１４とには、交通情報の案内及び広告のための正面導光パネル２０と側面導光パネル２２とがそれぞれ設けられ、
前記正面部１２の上端には、広告用構造体１０の内部への空気の流入をスムーズに導くように、後方に水平に折られた状態で、後方に行くほど漸次低く傾斜する前翼１２ｂが形成されており、後面部１６の上端には、広告用構造体１０の内部の空気が外部へ容易に流出するように、前方に水平に折られた状態で、前方に行くほど漸次低くなる後翼１６ｂが形成されたことを特徴とするバス屋根における屋外広告用構造体。
【請求項１２】
前記広告用構造体１０の正面部１２及び両側面部１４は、空気の抵抗を最小化させるように、下部から上部に行くほど、内側に一定の角度（α）で傾斜して構成されたことを特徴とする請求項１１記載のバス屋根における屋外広告用構造体。
【請求項１３】
バス屋根１には、交通情報の案内及び広告物の設置スペースを提供するように、上下部が開口され、周りの四面が連結された長方形状の広告用構造体１０が設けられ、
前記広告用構造体１０の正面部１２と両側面部１４とには、交通情報の案内及び広告のための正面導光パネル２０と側面導光パネル２２とがそれぞれ設けられ、
前記広告用構造体１０はバス屋根に装着された機器をカバーし、広告物の設置スペースを提供する前後摺動する複数の上部板材３０を備え、前記上部板材３０は、広告物の上に装着され、バス屋根の上部を選択的に開放、部分的に開放、あるいは閉じることができることを特徴とするバス屋根における屋外広告用構造体。
【請求項１４】
バス屋根に装着された機器は空気調和（HVAC）システム３であり、前記広告用構造体１０の高さは、前記バス屋根１に装着された空調システム３の高さよりも高くなるように、８０〜１７０ｃｍの範囲で構成されたことを特徴とする請求項１３記載のバス屋根における屋外広告用構造体。
【請求項１５】
前記広告用構造体１０の正面部１２及び両側面部１４は、空気の抵抗を最小化させるように、下部から上部に行くほど、内側に一定の角度（α）で傾斜して構成されたことを特徴とする請求項１３記載のバス屋根における屋外広告用構造体。
【請求項１６】
前記広告用構造体１０は、その正面部１２に前記正面導光パネル２０が取付けられる取付孔１２ａが形成され、その両側面部１４に、前記側面導光パネル２２が取付けられる複数の取付孔１４ａが形成され、その後面部１６に、空気及び雨水が排出される多数の貫通孔１６ａが形成されたことを特徴とする請求項１３記載のバス屋根における屋外広告用構造体。
【請求項１７】
前記複数の取付孔１４ａは、上下の幅よりも左右の幅が広い長方形状であり、前後対称に構成されたことを特徴とする請求項１６記載のバス屋根における屋外広告用構造体。
【発明の詳細な説明】
【技術分野】
【０００１】
本発明は、大衆交通手段であるバス屋根に設けられる屋外広告用構造体に関し、より詳しくは、バス路線、起点、終点、及び経由地などを案内する交通情報の案内、または、企業及び公共キャンペーンなどの広告物の領域を、新しい視線の高さに構築し、広告の効率をさらに高めるようにするバス屋根における屋外広告用構造体に関する。
【背景技術】
【０００２】
一般的に、バスとは、常に定められている一定の路線のみを運行しながら、多数の人が乗って行き来する大衆交通手段のことである。
【０００３】
このようなバスは、室内に広告文句が印刷されている広告紙を貼着するか、あるいは、広告紙を室外に貼着し、バスに乗っている乗客、または、バスが運行している道路の周辺を通る人が、広告の内容を確認できるようにされている。
【０００４】
しかしながら、上記のような従来の広告手段のうち、バスの屋外に貼着される広告文句または写真などの広告物は、通常、バスの窓の下側の両側面にシート状に印刷して貼着するか、あるいは、額縁状の保持枠に入れられて保持される構造でなっているので、周辺の車両や道路の施設物と混在しているときは、バスの両側面の下側に位置する大部分の広告物が隠れてしまい、目視での識別が困難になり、特に、照度の低い夜間には、さらに識別が困難になるため、消費者の目を引くことができなくなり、広告の効率が顕著に下がるという不都合があった。
【発明の概要】
【発明が解決しようとする課題】
【０００５】
本発明の目的は、既存の諸問題点に鑑みて、これを解決しようとするものであって、周辺の車両や道路の施設物によって広告物が隠れにくい新規な視線の高さであるバスの屋根に長方形状の広告構造体を設けることにより、昼夜を問わず目視で識別しやすく、消費者の視線を集中させ、広告の効率を高めることのできるバス屋根における屋外広告用構造体を提供することにある。
【０００６】
また、バス屋根に設けられる広告構造体の正面及び両側面に、照明光による交通情報の案内及び広告パネルをそれぞれ分散して設け、上面に大型の広告文句または写真などの広告物を貼着することにより、各領域ごとの案内及び広告の効率をさらに高めることのできるバス屋根における屋外広告用構造体を提供することにある。
【課題を解決するための手段】
【０００７】
上述のような技術的課題を解決するため、本発明の実施例に係るバス屋根における屋外広告用構造体は、バス屋根には、バス屋根に装着された空調システムが外部に露出しないようにカバーするとともに交通情報の案内及び広告物の設置スペースを提供するように、上下部が開口され、周りの四面が連結された長方形状の広告用構造体が設けられ、前記広告用構造体の正面部と両側面部とには、交通情報の案内及び広告のための正面導光パネルと側面導光パネルとがそれぞれ設けられたことを特徴とする。
【０００８】
他の実施例として、本発明の広告用構造体の高さは、前記バス屋根に装着された空調システムの高さよりも高くなるように、８０〜１７０ｃｍの範囲で構成されたことを特徴とする。
【０００９】
他の実施例として、本発明の広告用構造体の正面部及び両側面部は、空気の抵抗を最小化させるように、下部から上部に行くほど、内側に一定の角度（α）で傾斜して構成されたことを特徴とする。
【００１０】
他の実施例として、本発明の広告用構造体は、その正面部に前記正面導光パネルが取付けられる取付孔が形成され、その両側面部に、前記側面導光パネルが取付けられる複数の取付孔が形成され、その後面部に、空気及び雨水が排出される多数の貫通孔が形成されたことを特徴とする。
【００１１】
他の実施例として、本発明の複数の取付孔は、上下の幅よりも左右の幅が広い長方形状であり、前後対称に構成されたことを特徴とする。
【００１２】
他の実施例として、本発明の正面部の上端には、広告用構造体の内部への空気の流入をスムーズに導くように、後方に水平に折られた状態で、後方に行くほど漸次低くなるように傾斜する前翼が形成されており、前記後面部の上端には、広告用構造体の内部の空気が外部へ容易に流出するように、前方に水平に折られた状態で、前方に行くほど漸次低くなる後翼が形成されたことを特徴とする。
【００１３】
他の実施例として、本発明の正面部、両側面部、及び後面部の下端には、バスの屋根の縁部に容易に密着し、かつ、多数の締結手段によって固定されるように、内側に直角となるように折られた接触面部がそれぞれ形成されたことを特徴とする。
【００１４】
他の実施例として、本発明の正面導光パネルと複数の側面導光パネルとは、前記広告用構造体の内面にそれぞれ固定された状態で、制御手段により、個別または同時に制御されるように、電気的に接続されたことを特徴とする。
【００１５】
他の実施例として、本発明の広告用構造体の上面の開口には、バス屋根に装着された空調システムが、上部を介して外部に露出しないようにカバーするとともに、広告物を貼着することのできる設置スペースを提供するように、前後摺動する複数の上部板材が設けられたことを特徴とする。
【００１６】
他の実施例として、本発明の複数の上部板材は、引き戸方式で重なるか、あるいは広げられるように、その左右端が、前記広告用構造体の両側面のレール溝に結合されたことを特徴とする。
【００１７】
他の実施例として、本発明の複数の上部板材の上面は、雨水が溜まらず容易に流れるように、中央から左右方向に行くほど漸次低くなる湾曲状に形成されたことを特徴とする。
【発明の効果】
【００１８】
本発明のバス屋根における屋外広告用構造体は、バス屋根の縁部を囲むように固定されるので、バス屋根に装着された空調システムなどの汚れがカバーできるとともに、バス屋根の外観の状態をよりきれいに見せることにより、都市の景観との調和をとることができるという効果を奏する。
【００１９】
また、本発明は、広告用構造体により、正面導光パネル及び側面導光パネルがバス屋根の最上端に位置するように保持することができるので、周辺の車両や道路の施設物で広告物が隠れることを最小化することができ、昼夜を問わず目視で識別しやすいことは勿論、新しい広告高さにおいて消費者の視線を集中させ、広告の効率を高めることができるという効果を奏する。
【００２０】
さらに、本発明は、広告用構造体の上部の開口をカバーする上部板材に、広告文句または写真などの大型広告物を貼着し、広告の効果を極大化することができるという効果を奏する。
【図面の簡単な説明】
【００２１】
【図１】図１は、本発明の第１実施例に係る屋外広告用構造体を、バス屋根に装着した斜視図である。
【図２】図２は、図１の屋外広告用構造体を示す斜視図である。
【図３】図３は、図２のＡ−Ａ線の縦断面図である。
【図４】図４は、本発明の第２実施例に係る屋外広告用構造体を示す斜視図である。
【図５】図５は、図４のＢ−Ｂ線の縦断面図である。
【図６】図６は、図４のＣ−Ｃ線の縦断面図である。
【発明を実施するための形態】
【００２２】
以下、本発明の実施例について、添付の図１〜図６を参照して、詳細に説明する。
【００２３】
本発明の第１実施例に係る屋外広告用構造体１０は、図１〜図３に示すように、バス屋根１に装着された空調システム３などが、正面、両側面、及び後面を介して外部に露出しないようにカバーするとともに、交通情報の案内及び広告物の設置スペースを提供するように、上下部が開口され、周りの四面が連結された長方形状に作製され、バス屋根１の上面に固定される。
【００２４】
すなわち、前記広告用構造体１０は、重みを最小化できるプラスチック、アルミニウム、スチール（ｓｔｅｅｌ）から選ばれるいずれかの材質からなり、その高さは、前記バス屋根１に装着された空調システム３の高さよりも高くなるように８０〜１７０ｃｍの範囲で構成されており、その正面及び両側面は、空気の抵抗を最小化させるように、下部から上部に行くほど、内側に一定の角度（α）で傾斜して構成されている。
【００２５】
前記広告用構造体１０は、その正面部１２に、交通情報の案内及び広告などのための正面導光パネル２０が取付けられるように取付孔１２ａが形成され、その両側面部１４に、交通情報の案内及び広告などのための側面導光パネル２２が取付けられるように、複数の取付孔１４ａが形成され、その後面部１６に、空気及び雨水などが容易に排出されるように、多数の貫通孔１６ａが形成されている。
【００２６】
このとき、前記正面部１２側の取付孔１２ａは、交通情報の案内及び広告物の設置スペースを最大化させるように、上下の幅よりも左右の幅が広い長方形状に構成することが好ましい。
【００２７】
前記両側面部１４側の複数の取付孔１４ａは、交通情報の案内及び広告物の設置スペースを最大化させるように、上下の幅よりも左右の幅が広い長方形状であり、前後対称に構成することが好ましい。
【００２８】
前記正面部１２側の取付孔１２ａと、両側面部１４側の取付孔１４ａとには、前記正面導光パネル２０と側面導光パネル２２の正面を外部に露出させ、かつ、被物体との直接的な衝突を未然に防止するように、強化ガラスなどの透明板材１８が付着されている。
【００２９】
前記正面部１２の上端には、広告用構造体１０の内部への空気の流入をスムーズに導くように、後方に水平に折られた状態で、後方に行くほど漸次低くなるように傾斜する前翼１２ｂが形成されており、後面部１６の上端には、広告用構造体１０の内部の空気が外部へ容易に流出するように、前方に水平に折られた状態で、前方に行くほど漸次低くなる後翼１６ｂが形成されている。
【００３０】
前記正面部１２、両側面部１４、及び後面部１６の下端には、バス屋根１の縁部に容易に密着するように、内側に直角に折られた接触面部１２ｃ、１４ｃ、１６ｃが形成されており、これらの接触面部１２ｃ、１４ｃ、１６ｃは、ボルトとナットなどの締結手段２４によって固定された後、接着剤や防水剤を塗布して仕上げるように構成されている。
【００３１】
そして、前記正面導光パネル２０及び複数の側面導光パネル２２は、交通情報の案内及び広告物を多様な色の文句及び模様などでデザインが表現できるように、ＬＥＤ（Ｌｉｇｈｔ  Ｅｍｉｔｔｉｎｇ  Ｄｉｏｄｅ）で構成することが好ましく、それらの正面部１２と両側面部１４の内面にそれぞれ固定された状態で、制御手段（図示しない）により、個別または同時に制御されるように、電気的に連結されている。
【００３２】
このように構成された本発明の広告用構造体１０は、バス屋根１の縁部を囲むように安着され、多数の締結手段２４によって固定されるので、バス屋根１に装着された空調システム３などの汚れがカバーできるとともに、バス屋根１の外観の状態をよりきれいに見せることにより、都市の景観との調和をとることができる。
【００３３】
また、交通情報の案内及び広告のための正面導光パネル２０及び側面導光パネル２２は、広告用構造体１０を媒介にしてバス屋根１の最上端に位置するので、周辺の車両や道路の施設物で広告物が隠れることを最小化することができ、昼夜を問わず目視で識別しやすいことは勿論、新しい広告高さにおいて消費者の視線を集中させ、広告の効率を高めることができる。
【００３４】
なお、本発明の第２実施例に係る広告用構造体１０の上面の開口には、図４〜図６に示すように、バス屋根１に装着された空調システム３などが、上部を介して外部に露出しないようにカバーするとともに、広告物を貼着することのできる設置スペースを提供するように、前後摺動する複数の上部板材３０が設けられている。
【００３５】
すなわち、前記複数の上部板材３０は、前記広告用構造体１０の上面の前後を分けてカバーし、必要に応じて、それぞれ前側または後側に重なり、バス屋根１を外部に露出するように、引き戸方式で前後摺動する。
【００３６】
このとき、前記複数の上部板材３０の左右端は、前記両側面部１４の内側の上端に２段に形成された横方向のレール溝１４ｂにそれぞれ挟まれ、前後摺動するように構成され、その上面は、雨水などが溜まらず容易に流れるように、中央から左右方向に行くほど漸次低くなる湾曲状に形成されている。
【００３７】
また、前記複数の上部板材３０の上面には、広告文句または写真などの大型広告物を貼着し、広告の効果を極大化することができる。
【００３８】
このように構成された本発明の上部板材３０は、常時、広告用構造体１０の上部を閉鎖するように広げられた状態で、その上面に貼着された大型広告物により、広告の効果を極大化することができ、空調システム３や正面導光パネル２０及び側面導光パネル２２などのメンテナンスのときには、前方または後方に摺動して互いに重なることにより、広告用構造体１０の上部を開放することができる。
【００３９】
さらに、上部板材３０は、先端の中央は、広告用構造体１０の前翼１２ｂと後翼１６ｂの先端よりも高い位置に設けられるので、バス屋根１に流入する空気が、図４に示す矢印方向のように、上部板材３０の下部を経由して外部へ排出されながら、バス屋根１側の空調システム３の熱交換に必要となる空気を供給するとともに、広告用構造体１０の内部に設けられた正面導光パネル２０と側面導光パネル２２などの制御手段から発散される熱気を冷やすことは勿論、バス屋根１を介しての日光のひさしの役割も行う。
【００４０】
なお、本発明は、上述のような実施例にのみ限らず、本発明の要旨を逸脱しない範囲内で修正及び変形して実施することができ、そのような修正及び変形が加えられた技術思想も、以下の特許請求の範囲に属するとみるべきである。
以下に、本願出願の当初の特許請求の範囲に記載された発明を付記する。
［１］  バス屋根１には、バス屋根１に装着された空調システム３が外部に露出しないようにカバーするとともに、交通情報の案内及び広告物の設置スペースを提供するように、上下部が開口され、周りの四面が連結された長方形状の広告用構造体１０が設けられ、
前記広告用構造体１０の正面部１２と両側面部１４とには、交通情報の案内及び広告のための正面導光パネル２０と側面導光パネル２２とがそれぞれ設けられたことを特徴とするバス屋根における屋外広告用構造体。
［２］  前記広告用構造体１０の高さは、前記バス屋根１に装着された空調システム３の高さよりも高くなるように、８０〜１７０ｃｍの範囲で構成されたことを特徴とする［１］記載のバス屋根における屋外広告用構造体。
［３］  前記広告用構造体１０の正面部１２及び両側面部１４は、空気の抵抗を最小化させるように、下部から上部に行くほど、内側に一定の角度（α）で傾斜して構成されたことを特徴とする［１］記載のバス屋根における屋外広告用構造体。
［４］  前記広告用構造体１０は、その正面部１２に前記正面導光パネル２０が取付けられる取付孔１２ａが形成され、その両側面部１４に、前記側面導光パネル２２が取付けられる複数の取付孔１４ａが形成され、その後面部１６に、空気及び雨水が排出される多数の貫通孔１６ａが形成されたことを特徴とする［１］記載のバス屋根における屋外広告用構造体。
［５］  前記複数の取付孔１４ａは、上下の幅よりも左右の幅が広い長方形状であり、前後対称に構成されたことを特徴とする［４］記載のバス屋根における屋外広告用構造体。
［６］  前記正面部１２の上端には、広告用構造体１０の内部への空気の流入をスムーズに導くように、後方に水平に折られた状態で、後方に行くほど漸次低く傾斜する前翼１２ｂが形成されており、前記後面部１６の上端には、広告用構造体１０の内部の空気が外部へ容易に流出するように、前方に水平に折られた状態で、前方に行くほど漸次低くなる後翼１６ｂが形成されたことを特徴とする［４］記載のバス屋根における屋外広告用構造体。
［７］  前記正面部１２、両側面部１４、及び後面部１６の下端には、バス屋根１の縁部に容易に密着し、かつ、多数の締結手段２４によって固定されるように、内側に直角となるように折られた接触面部１２ｃ、１４ｃ、１６ｃがそれぞれ形成されたことを特徴とする［４］に記載のバス屋根における屋外広告用構造体。
［８］  前記正面導光パネル２０と複数の側面導光パネル２２とは、前記広告用構造体１０の内面にそれぞれ固定された状態で、制御手段により、個別または同時に制御されるように、電気的に接続されたことを特徴とする［１］に記載のバス屋根における屋外広告用構造体。
［９］  前記広告用構造体１０の上面の開口には、バス屋根１に装着された空調システム３が、上部を介して外部に露出しないようにカバーするとともに、広告物を貼着することのできる設置スペースを提供するように、前後摺動する複数の上部板材３０が設けられたことを特徴とする［１］記載のバス屋根における屋外広告用構造体。
［１０］  前記複数の上部板材３０は、引き戸方式で重なるか、あるいは広げられるように、その左右端が、前記広告用構造体１０の両側面のレール溝１４ｂに結合されたことを特徴とする［９］記載のバス屋根における屋外広告用構造体。
［１１］  前記複数の上部板材３０の上面は、雨水が溜まらず容易に流れるように、中央から左右方向に行くほど漸次低くなる湾曲状に形成されたことを特徴とする［９］または［１０］記載のバス屋根における屋外広告用構造体。
【符号の説明】
【００４１】
１…バス屋根、３…空調システム、１０…広告用構造体、１２…正面部、１２ａ…取付孔、１２ｂ…前翼、１２ｃ…接触面部、１４…両側面部、１４ａ…取付孔、１４ｂ…レール溝、１４ｃ…接触面部、１６…後面部、１６ａ…貫通孔、１６ｃ…接触面部、１８…透明板材、２０…正面導光パネル、２２…側面導光パネル、２４…締結手段、３０…上部板材。
【図１】
0006411533.tif 000002
【図２】
0006411533.tif 000003
【図３】
0006411533.tif 000004
【図４】
0006411533.tif 000005
【図５】
0006411533.tif 000006
【図６】
0006411533.tif 000007